(57)【要約】【課題】  移動体通信システムにおける移動端末において、バンドサーチの処理時間の短縮を可能とする。【解決手段】  １系及び２系の受信部５，７及び第１及び第２のアンテナ１０，１１を有するダイバシティ受信方式の移動端末において、電源投入時や圏外時に、バンドサーチを行うに際して、所要周波数域を複数の周波数（幅）に分割して、これら複数の周波数のうち、半分を１系受信部５によりサーチし、他の半分を２系の受信部７によりサーチするように、制御部１により制御する。一方の系で有効な周波数がサーチできれば、他の系のサーチ処理をも停止する。これにより、バンドサーチの処理時間が短縮される。【選択図】      図１
2007235493.tif 000002
【特許請求の範囲】
【請求項１】
所要周波数域を複数の周波数に分割し、これら複数の周波数のなかから有効周波数をサーチするバンドサーチシステムであって、複数の受信部と、前記複数の受信部に対して互いに異なる周波数を分担せしめて互いに並行してサーチをなすよう制御する制御部とを含むことを特徴とするバンドサーチシステム。
【請求項２】
前記有効周波数の判断パラメータは、ＲＳＳＩ，ＲＳＣＰ，Ｅｃ／Ｎｏの一つであることを特徴とする請求項１記載のバンドサーチシステム。
【請求項３】
前記判断パラメータの算出を、平均値、ピーク値、所定期間の積分値の一つで行うことを特徴とする請求項２記載のバンドサーチシステム。
【請求項４】
前記制御部は、前回の受信周波数を基準にして、サーチする周波数の分担を決めるようにしたことを特徴とする請求項１〜３いずれか記載のバンドサーチシステム。
【請求項５】
前記受信部は、ダイバシティ受信機能を有する通信装置における複数の受信部であることを特徴とする請求項１〜４いずれか記載のバンドサーチシステム。
【請求項６】
前記受信部は、マルチバンド対応通信装置における複数の受信部であることを特徴とする請求項１〜４いずれか記載のバンドサーチシステム。
【請求項７】
前記制御部は、異周波数測定のためのコンプレストモード時において、一の受信部において現在の周波数を維持しつつ、他の受信部において異周波数のセルのバンドサーチをなすよう制御することを特徴とする請求項１記載のバンドサーチシステム。
【請求項８】
所要周波数域を複数の周波数に分割し、これら複数の周波数のなかから有効周波数をサーチするバンドサーチ方法であって、複数の受信部に対して互いに異なる周波数を分担せしめて互いに並行してサーチをなすよう制御する制御ステップを含むことを特徴とするバンドサーチ方法。
【請求項９】
前記有効周波数の判断パラメータは、ＲＳＳＩ，ＲＳＣＰ，Ｅｃ／Ｎｏの一つであることを特徴とする請求項８記載のバンドサーチ方法。
【請求項１０】
前記判断パラメータの算出を、平均値、ピーク値、所定期間の積分値の一つで行うことを特徴とする請求項９記載のバンドサーチ方法。
【請求項１１】
前記制御ステップは、前回の受信周波数を基準にして、サーチする周波数の分担を決めるようにしたことを特徴とする請求項８〜１０いずれか記載のバンドサーチ方法。
【請求項１２】
前記受信部は、ダイバシティ受信機能を有する通信装置における複数の受信部であることを特徴とする請求項８〜１１いずれか記載のバンドサーチ方法。
【請求項１３】
前記受信部は、マルチバンド対応通信装置における複数の受信部であることを特徴とする請求項８〜１１いずれか記載のバンドサーチ方法。
【請求項１４】
前記制御ステップは、異周波数測定のためのコンプレストモード時において、一の受信部において現在の周波数を維持しつつ、他の受信部において異周波数のセルのバンドサーチをなすよう制御するステップを有することを特徴とする請求項８記載のバンドサーチ方法。
【請求項１５】
請求項１〜７いずれか記載のバンドサーチシステムを含むことを特徴とする通信装置。
【請求項１６】
移動端末であることを特徴とする請求項１５記載の通信装置。
【発明の詳細な説明】
【技術分野】
【０００１】
本発明はバンドサーチシステム及びその方法並びにそれを用いた通信装置に関し、特に所要周波数域を複数の周波数に分割し、これら複数の周波数のなかから有効周波数をサーチするバンドサーチ方式に関するものである。
【背景技術】
【０００２】
移動体通信システムでは、基地局からの送信用、すなわち移動端末の受信用の周波数として、所定周波数域を複数の周波数（幅）に分割したものが採用される。そして、これら複数の周波数において基地局から電波が送出されるものである。そこで、移動端末では、電源投入時や圏外時に、これら周波数の電波の存在を調べるためのバンドサーチ処理が必要になる（特許文献１参照）。
【０００３】
従来のバンドサーチ処理では、設定された多数の周波数において、電波の存在の有無を順次検索する方法が一般的である。ここで、特許文献２を参照すると、複数のアンテナとそれに対応する複数の受信機とを設け、マルチパスフェージングの下での特性改善を図る技術が開示されている。
【０００４】
【特許文献１】特開２００３−２４４０８３号公報
【特許文献２】特開２００３−２１８７５６号公報
【発明の開示】
【発明が解決しようとする課題】
【０００５】
１つの受信部にて所要の周波数（幅）を順番にバンドサーチする場合、多数の周波数をサーチするには時間がかかっており、特に圏外から復帰するまでにユーザーに対して待ち時間が発生することになる。なお、特許文献２では、上述した様に、複数のアンテナとそれに対応する複数の受信機とを設け、マルチパスフェージングの下での特性改善を図るものであり、本発明のバンドサーチとは、その目的が全く相違している。
【０００６】
本発明の目的は、バンドサーチの処理時間の短縮を可能としたバンドサーチシステム及びその方法を提供することである。
【課題を解決するための手段】
【０００７】
本発明によるバンドサーチシステムは、所要周波数域を複数の周波数に分割し、これら複数の周波数のなかから有効周波数をサーチするバンドサーチシステムであって、複数の受信部と、前記複数の受信部に対して互いに異なる周波数を分担せしめて互いに並行してサーチをなすよう制御する制御部とを含むことを特徴とする。
【０００８】
本発明によるバンドサーチ方法は、所要周波数域を複数の周波数に分割し、これら複数の周波数のなかから有効周波数をサーチするバンドサーチ方法であって、複数の受信部に対して互いに異なる周波数を分担せしめて互いに並行してサーチをなすよう制御する制御ステップを含むことを特徴とする。
【０００９】
本発明による通信装置は、上記のバンドサーチシステムを含むことを特徴としている。
【００１０】
本発明の作用を述べる。１系及び２系の受信部及び第１及び第２のアンテナを有するダイバシティ受信方式の移動端末において、電源投入時や圏外時に、バンドサーチを行うに際して、所要周波数域を複数の周波数（幅）に分割して、これら複数の周波数のうち、半分を１系受信部によりサーチし、他の半分を２系の受信部によりサーチするように制御する。そして、一方の系で有効な周波数がサーチできれば、他の系のサーチ処理をも停止する。これにより、バンドサーチの処理時間が短縮される。
【発明の効果】
【００１１】
本発明によれば、所要周波数域をバンドサーチする場合、複数の受信部にて異なる周波数を分担しつつ並行してサーチすることにより、サーチ時間を大幅に短縮することができるという効果がある。
【発明を実施するための最良の形態】
【００１２】
以下に、図面を参照して本発明の実施例について説明する。図１は本発明の一実施例の移動端末の機能ブロック図である。本移動端末は、各部を制御する制御部１と、送信部３のための送信部用ＰＬＬシンセサイザ２と、１系受信部５のための１系受信部用ＰＬＬシンセサイザ４と、２系受信部７のための２系受信部用ＰＬＬシンセサイザ６と、１系受信部５と送信部３とに対するアンテナ共用器８と、第１及び第２アンテナ１０及び１１を切り替えるためのアンテナ切り替え器９と、第１及び第２アンテナ１０及び１１とを含んで構成されている。
【００１３】
送信部３は、無線部及びベースバンド処理部から構成されて変調処理を行い、１系受信部５及び２系受信部７は無線部及びベースバンド処理部から構成されて復調処理を行う。送信部用ＰＬＬシンセサイザ２は、ＶＣＯ及びＰＬＬシンセサイザから構成され、送信部３用のローカル信号を生成する。
【００１４】
１系受信部用ＰＬＬシンセサイザ４は、ＶＣＯ及びＰＬＬシンセサイザから構成され、１系受信部５用のローカル信号を生成する。２系受信部用ＰＬＬシンセサイザ６は、ＶＣＯ及びＰＬＬシンセサイザから構成され、２系受信部７用のローカル信号を生成する。共用器８は、送信部３と１系受信部５に使用するアンテナを共用するために用いられ、１系ＴＲＸ（送受信）信号１２によりアンテナ切り替えスイッチ９と接続される。
【００１５】
２系受信部は、２系ＲＸ（受信）信号１３によりアンテナ切り替えスイッチ９と接続される。アンテナ切り替えスイッチ９は、第１及び第２アンテナ１０及び１１を制御部１からのアンテナ切り替え信号１４により、１系ＴＲＸ信号１２及び、２系ＲＸ信号１３に接続するアンテナの切り替えを行う。このアンテナ切り替えの例を図２に示す。
【００１６】
図２に示す様に、アンテナ切り替え信号１４がハイレベル（Ｈ）の場合には、１系ＴＲＸ信号１２は第１アンテナ１０に、２系ＴＲＸ信号１３は第２アンテナ１１に、それぞれ接続される。この場合には、ダイバシティ受信となる。また、アンテナ切り替え信号１４がローレベル（Ｌ）の場合には、１系ＴＲＸ信号１２は第１アンテナ１０に接続され、２系ＴＲＸ信号１３は無接続となり、１系受信部のみでの通常の受信となる。
【００１７】
以下に、本実施例の動作について説明する。図３は本実施例の動作を説明するためのフローチャートであり、（Ａ）は１系受信部５と制御部１との動作、（Ｂ）は２系受信部７と制御部１との動作を、それぞれ示すものである。
【００１８】
移動端末は電源投入時もしくは、圏外時に、図３に示すフローチャートに従い１系受信部５、２系受信部７にて並行してバンドサーチを開始する（ステップＳ１，Ｓ１１）。この場合、制御部１はアンテナ切り替え信号１４をＨとするものとする。
【００１９】
１系受信部５及び２系受信部７でそれぞれバンドサーチする周波数は、図４に示すようになっている。すなわち、所要周波数域を上側、下側の半分に分割して、１系受信部５では、第１の周波数Ｎ＝１〜第１００の周波数Ｎ＝１００まで、順番にＲＳＳＩ（Receive Signal Strength Indicator： 受信電界強度）が基準値（閾値）以上となる有効な周波数を見つけるまでバンドサーチを行っていく（ステップＳ２〜Ｓ６のＮｏ）。一方、２系受信部７では、第１０１の周波数Ｎ＝１０１〜第２００の周波数Ｎ＝２００まで順番にＲＳＳＩが基準値以上となる有効な周波数を見つけるまでバンドサーチを行っていく（ステップＳ１２〜Ｓ１６のＮｏ）。
【００２０】
このとき、制御部１は、図３に示すフローチャートと図４に示す周波数テーブルとにより、１系受信部用ＰＬＬシンセサイザ４及び２系受信部用ＰＬＬシンセサイザ６に対して制御データを送出する。制御データを受け取った１系受信部用ＰＬＬシンセサイザ４及び２系受信部用ＰＬＬシンセサイザ６は、１系受信部５及び２系受信部７に対して、それぞれ順次ローカル信号を出力する。これにより、１系受信部５及び２系受信部７は、ＲＦ信号をベースバンド信号に変換後、ＲＳＳＩの算出を行い、ＲＳＳＩが基準値である閾値以上の波を有効波と判断する。
【００２１】
ステップＳ６，Ｓ１６において、ＲＳＳＩが閾値以上の有効波が見つかれば（Ｙｅｓ）、その時点で、バンドサーチは終了となるので、他方の系の受信機におけるバンドサーチを停止するよう制御して（ステップＳ７，Ｓ１７）、全体のバンドサーチ処理終了となる（ステップＳ８，Ｓ１８）。この様に、異なる周波数を分担して、並行してサーチすることにより、サーチ時間を大幅に短縮することができることになる。
【００２２】
バンドサーチにより周波数の有効／無効の判断（ステップＳ６，Ｓ１６）を行うパラメ−タはＲＳＳＩの他に、ＲＳＣＰ（Received Signal Code Power）、Ｅｃ／Ｎｏ（Ratio of Energy per Modulating Bit to the Noise Spectral Dencity）を用いても良いものである。
【００２３】
これらＲＳＳＩ，ＲＳＣＰ，Ｅｃ／Ｎｏなどの有効周波数の判断のためのパラメータの計算は、所定時間における平均値、ピーク値あるいはある期間の積分値などを使用することができる。
【００２４】
また、１系受信部、２系受信部でサーチする周波数を選択する例としては、前回使用した周波数を基準に、高い周波数方向へサーチする受信部と、低い方向へサーチする受信部など選択しても良い。更に、マルチバンド対応の移動端末などの通信装置においては、複数の受信部にて、更に異なるバンドで分けてサーチすることでも良い。
【００２５】
図１に示す共用器８は、ＴＤＭＡ通信端末の場合、送受信を切り替えるスイッチに置き換えることもできる。図１に示すアンテナ切り替え信号１４は、１系受信部用ＰＬＬシンセサイザ４及び２系受信部用ＰＬＬシンセサイザ６に設定される周波数設定データに基づいて生成される場合や、１系受信部５及び１系受信部用ＰＬＬシンセサイザ４や２系受信部７及び２系受信部用ＰＬＬシンセサイザ６の電源オン信号を利用した信号にてアンテナ切り替えスイッチを制御することも考えられる。
【００２６】
また、コンプレストモード時において、１系受信部では現在の周波数設定を保ったまま、２系受信部にて、異周波数のセルのＲＳＳＩなどパラメータの測定を行うことも考えられる。ここで、コンプレストモードとは、異周波ハンドオーバを行うために、異周波数のセルの測定を可能とするための機能であり、下り送信データを圧縮して空き時間を設け、この空き時間において、異周波数のセルの測定をなすものである。
【００２７】
上記実施例では、携帯電話機に代表される移動端末として説明したが、バンドサーチをなす通信装置に広く適用可能である。
【図面の簡単な説明】
【００２８】
【図１】本発明の実施例を説明するための移動端末の機能ブロック図である。
【図２】図１のアンテナ切り替え信号とアンテナ選択との関係を示す図である。
【図３】本発明の実施例の動作を示すフローチャートである。
【図４】設定周波数と受信系への割り当て状態の例を示す図である。
【符号の説明】
【００２９】
１  制御部
２  送信部用ＰＬＬシンセサイザ
３  送信部
４  １系受信部用ＰＬＬシンセサイザ
５  １系受信部
６  ２系受信部用ＰＬＬシンセサイザ
７  ２系受信部
８  共用器
９  アンテナ切り替えスイッチ
１０  第１アンテナ
１１  第２アンテナ
【図１】
2007235493.tif 000003
【図２】
2007235493.tif 000004
【図３】
2007235493.tif 000005
【図４】
2007235493.tif 000006